(57)【要約】【課題】簡単な構成で冊子のズレを抑制できる、冊子処理ユニットおよび用紙後処理装置を提供する。【解決手段】冊子処理ユニットは、ローラー対２２と、運搬部と、駆動部と、ブレーキとを備える。ローラー対は、中綴じされた冊子または中折り冊子を冊子の厚み方向の両側から挟む。運搬部は、冊子に挟まれた状態で移動することにより冊子を運搬する。駆動部は、冊子の搬送方向と厚み方向とに直交する冊子幅方向と、搬送方向との両方に運搬部を移動させる。駆動部が運搬部を搬送方向の下流側に向かって移動させる間、ブレーキは、ローラー対を空転させる。駆動部が運搬部を冊子幅方向に沿って移動させ冊子から運搬部を抜く際に、ブレーキは、ローラー対の回転を規制する。【選択図】図６
2018083671.tif 000002
【特許請求の範囲】
【請求項１】
中綴じされた冊子または中折りされた冊子を前記冊子の厚み方向の両側から挟むローラー対と、
前記冊子に挟まれた状態で移動することにより前記冊子を運搬する運搬部と、
前記運搬部により運搬される前記冊子の搬送方向と、前記搬送方向と前記厚み方向とに直交する冊子幅方向との両方に前記運搬部を移動させる駆動部と、
前記駆動部が前記運搬部を前記搬送方向の下流側に向かって移動させる間、前記ローラー対を空転させ、前記駆動部が前記運搬部を前記冊子幅方向に沿って移動させ前記冊子から前記運搬部を抜く際に、前記ローラー対の回転を規制するブレーキと、を備える冊子処理ユニット。
【請求項２】
前記運搬部は、前記ローラー対に対して前記搬送方向の上流側から下流側まで、前記冊子を運搬する、請求項１に記載の冊子処理ユニット。
【請求項３】
前記ローラー対を駆動する駆動源と、前記駆動源からの動力を前記ローラー対に伝達する駆動力伝達経路に設けられた駆動遮断部とを備える、請求項１または請求項２に記載の冊子処理ユニット。
【請求項４】
前記駆動部が前記運搬部を前記搬送方向の下流側に向かって移動させる間、前記駆動遮断部は、前記駆動力伝達経路を遮断する、請求項３に記載の冊子処理ユニット。
【請求項５】
前記駆動部が前記運搬部を前記冊子幅方向に沿って移動させ前記冊子から前記運搬部を抜く際に、前記駆動遮断部は、前記駆動力伝達経路を接続する、請求項３または請求項４に記載の冊子処理ユニット。
【請求項６】
前記駆動源は、モーターを有する、請求項３から請求項５のいずれか１項に記載の冊子処理ユニット。
【請求項７】
前記駆動遮断部は、電磁クラッチを有する、請求項３から請求項６のいずれか１項に記載の冊子処理ユニット。
【請求項８】
前記運搬部によって運搬され前記運搬部が抜かれた前記冊子に冊子処理を施す冊子処理部をさらに備える、請求項１から請求項７のいずれか１項に記載の冊子処理ユニット。
【請求項９】
前記冊子処理部は、小口断裁処理またはスクエアフォールド処理の少なくともいずれか一方の処理を施す、請求項８に記載の冊子処理ユニット。
【請求項１０】
前記ローラー対よりも前記搬送方向の上流側に配置され、前記中綴じされた冊子の綴じ部または前記中折りされた冊子の折り部を先端として前記冊子を前記搬送方向に沿って搬送する搬送部を備え、
前記搬送部によって搬送される前記冊子の前記先端が前記ローラー対に押し付けられる際に、前記ブレーキは、前記ローラー対の回転を規制する、請求項１から請求項９のいずれか１項に記載の冊子処理ユニット。
【請求項１１】
請求項１から請求項１０のいずれか１項に記載された冊子処理ユニットと、前記冊子を作成する中綴じユニットとを備える、用紙後処理装置。
【発明の詳細な説明】
【技術分野】
【０００１】
本発明は、冊子処理ユニットおよび用紙後処理装置に関する。
【背景技術】
【０００２】
用紙後処理装置の機能の１つとして冊子の中綴じおよび中折り処理がある。冊子品位向上のため、小冊子の中綴じまたは中折り処理後に、小冊子の背部を角状に整形するスクエアフォールド処理または小冊子の小口を断裁する小口断裁処理といった小冊子処理等が施されている。小冊子処理を施す際に小冊子をクランプするが、その時の冊子先端の位置と冊子の姿勢とが非常に重要であり、冊子が膨らんでいる状態および冊子先端の位置が規定されていない状態で冊子のクランプを行うと、冊子先端でのひずみおよび冊子の所定位置からのズレが発生することがある。この状態で上述の小冊子処理を行った場合、断裁箇所が斜めになったり、適切にスクエアフォールド処理できないという問題がある。
【０００３】
冊子を中綴じまたは中折りする方式は、プロダクション用の機械で用いられているいわゆる鞍掛け方式と、オフィス機で一般的に用いられているいわゆるナイフ束折り方式とがある。鞍掛け方式を採用する用紙後処理装置において、上記のような問題を解決するために、中綴じまたは中折りされた冊子の内側にリフター部材を差し込んで冊子先端の位置および冊子の姿勢を保持しながら冊子をクランプ部に搬送し、スクエアフォールド、小口断裁といった小冊子処理を行う技術が開示されている（たとえば特開２０１３−２２０９４０号公報（特許文献１）参照）。
【０００４】
特許文献１に記載の技術では、冊子のクランプ直前に、リフターを冊子内側から引き抜く動作が必要になる。リフター引き抜き動作による冊子のズレを抑制するための仮固定部が提案されている。
【先行技術文献】
【特許文献】
【０００５】
【特許文献１】特開２０１３−２２０９４０号公報
【発明の概要】
【発明が解決しようとする課題】
【０００６】
特許文献１に記載の技術は、仮固定部と専用動作とを必要とするため、装置の寸法が増大し、生産コストが増大する。
【０００７】
本発明においては、簡単な構成で冊子のズレを抑制できる、冊子処理ユニットおよび用紙後処理装置を提供することを目的とする。
【課題を解決するための手段】
【０００８】
冊子処理ユニットは、ローラー対と運搬部と駆動部とブレーキとを備える。ローラー対は、中綴じまたは中折りされた冊子を、冊子の厚み方向の両側から挟む。運搬部は、冊子に挟まれた状態で移動することにより、冊子を運搬する。駆動部は、運搬部により運搬される冊子の搬送方向と、搬送方向と厚み方向とに直交する冊子幅方向との両方に運搬部を移動させる。ブレーキは、駆動部が運搬部を搬送方向の下流側に向かって移動させる間、ローラー対を空転させる。ブレーキは、駆動部が運搬部を冊子幅方向に沿って移動させ冊子から運搬部を抜く際に、ローラー対の回転を規制する。
【０００９】
駆動部が運搬部を搬送方向の下流側に向かって移動する間、ブレーキを解除してローラー対を空転させることで、運搬部による冊子の搬送方向の下流への運搬が、ローラー対によって妨げられることを回避できる。
【００１０】
運搬部を冊子幅方向に沿って移動させ冊子から運搬部を抜く際に、ブレーキを作動させローラー対の回転を規制することで、ローラー対に対する冊子の移動が規制されている状態となる。これにより、冊子の姿勢のズレを抑制することができる。
【００１１】
運搬部は、ローラー対に対して、搬送方向の上流側から下流側まで、冊子を運搬する。これにより、先端の位置と冊子の姿勢とが適切に規定された状態で冊子にローラー対を通過させることができる。
【００１２】
冊子処理ユニットは、駆動源と駆動遮断部とを備える。駆動源は、ローラー対を駆動する。駆動遮断部は、駆動源からの動力をローラー対に伝達する駆動力伝達経路に設けられている。駆動源とローラー対とを遮断することで、ローラー対は駆動源の負荷を受けることなく空転することができる。駆動源とローラー対とを接続することで、ローラー対に負荷を与えて、ローラー対の回転を規制することができる。
【００１３】
駆動源は、モーターを有する。これにより、ローラー対に大きな負荷を与えることができる。
【００１４】
駆動遮断部は、電磁クラッチを有する。これにより、容易に駆動源とローラー対との接続と遮断とを切り替えることができる。
【００１５】
冊子処理ユニットは、冊子処理部をさらに備える。冊子処理部は、運搬部によって運搬され運搬部が冊子幅方向に沿って抜かれた冊子に冊子処理を施す。これにより、適切に冊子処理を施すことができる。
【００１６】
冊子処理部は、小口断裁処理またはスクエアフォールド処理の少なくともいずれか一方の処理を施す。これにより、適切にスクエアフォールド処理ができる。また、断裁箇所が斜めにならずに小口断裁処理を行うことができる。
【００１７】
冊子処理ユニットは、搬送部をさらに備える。搬送部は、ローラー対よりも搬送方向の上流側に配置され、冊子を搬送方向に沿って搬送する。搬送部によって搬送される冊子の先端がローラー対に押し付けられる際に、ブレーキがローラー対の回転を規制する。これにより、冊子の内側に空間を形成することができ、運搬部を冊子の内側に容易に挿入することが可能になる。
【００１８】
用紙後処理装置は、冊子処理ユニットと冊子を作成する中綴じユニットとを備える。これにより、適切に冊子処理を施すことができる用紙後処理装置を実現できる。
【発明の効果】
【００１９】
簡単な構成で冊子のズレを抑制できる、冊子処理ユニットおよび用紙後処理装置を実現することができる。
【図面の簡単な説明】
【００２０】
【図１】用紙後処理装置を含む画像形成システムの概略図である。
【図２】用紙後処理装置の概略図である。
【図３】中綴じユニットにて中綴じ処理を施された冊子である。
【図４】スクエアフォールド処理を施す冊子処理ユニット内の概略図である。
【図５】図４に示す冊子処理ユニット内の平面図である。
【図６】駆動源からローラー対へ駆動力を伝達する駆動力伝達経路を表す模式図である。
【図７】駆動遮断部によってローラー対と駆動源とが遮断された状態を表す模式図である。
【図８】冊子が搬送部により搬送方向に搬送されて、衝突部に押し当てられた状態を表す図である。
【図９】運搬部が空間内に挿入された状態を表す図である。
【図１０】空間に挿入された運搬部が搬送方向に移動する状態を表した図である。
【図１１】冊子が把持部により固定される前の状態を表す図である。
【図１２】冊子が把持部により固定される前に運搬部が冊子幅方向に沿って冊子から抜かれた状態を表す図である。
【図１３】冊子が把持部により固定された状態を表す図である。
【図１４】冊子にスクエアフォールド処理が施される状態を表す図である。
【図１５】スクエアフォールド処理が施された冊子を搬送する状態を表す図である。
【図１６】小口断裁処理を施す冊子処理ユニット内の概略図である。
【発明を実施するための形態】
【００２１】
以下、本発明の実施の形態について、図を参照して詳細に説明する。なお、以下に示す実施の形態においては、同一のまたは共通する部分について図中同一の符号を付し、その説明は繰り返さない。
【００２２】
＜画像形成システムの概略構成＞
図１は、用紙後処理装置２００を含む画像形成システムの概略構成を示す図である。画像形成システムは、主に、用紙上に画像を形成する画像形成装置１００と、画像を形成された用紙の折畳などの後処理を行なう用紙後処理装置２００とによって構成される。
【００２３】
画像形成装置１００では、給紙トレイ１０１に収容された用紙が、給紙ローラー１０２および搬送ローラー１０３，１０４によって図示しない画像形成部へ搬送され、画像を形成された後、定着装置１０５において画像を定着され、冷却装置１０６によって冷却された後、搬送ローラー１０７によって、用紙後処理装置２００へと搬送される。
【００２４】
＜用紙後処理装置２００の概略構成＞
用紙後処理装置２００では、用紙束に対して、ステイプル処理、パンチ処理、ソート、ノンソート処理、折り処理（Ｚ折り）、製本処理（中綴じ、中折り、三つ折り）などの様々の処理を行うことができる。中綴じ処理、中折り処理について以下に説明する。
【００２５】
図２は、用紙後処理装置２００の概略図である。用紙後処理装置２００は、搬送ローラー２０１と、搬送経路切替部材２０２と、排紙トレイ４０１とを備える。
【００２６】
搬送ローラー２０１は、画像形成装置１００から送られてきた用紙を、搬送経路切替部材２０２に送る。搬送経路切替部材２０２は、画像形成装置１００から送られてきた用紙を、後処理を施すことなくそのまま排紙トレイ４０１へと排出するための経路と、後処理を施すために後述する中綴じ収容部３０１へ送るための経路との間で、用紙の搬送経路を切替える。以上の動作が繰り返されることにより、必要な枚数の用紙が中綴じ収容部３０１に収容される。
【００２７】
用紙後処理装置２００は、冊子処理ユニット１と、冊子トレイ５０と、中綴じユニット３００とをさらに備える。中綴じユニット３００は、中綴じ収容部３０１と、折りローラー３０２と、折りナイフ３０３と、を含む。中綴じユニット３００では、中綴じ処理または中折り処理等が施される。図２に示す中綴じユニット３００においては、ナイフ束折り方式が採用されている。ナイフ束折り方式は、折りローラー３０２と折りナイフ３０３とを用いて、中綴じ収容部３０１内にためた用紙の中央部を折込み、冊子を作成する方式である。
【００２８】
図３は、中綴じユニット３００にて中綴じ処理を施された冊子である。中綴じ処理または中折り処理された冊子を冊子Ｓとする。冊子Ｓは、複数枚の用紙が半分に折られて構成されている。たとえば５枚の用紙からは、１枚の表紙と１枚の裏表紙とそれらの間に挟まれた８枚の用紙とから成る冊子が構成される。
【００２９】
冊子Ｓは、綴じ部Ｂと、のど部Ｄと、小口Ｋと、を含む。中折りされた冊子Ｓにおいて、綴じ部Ｂに該当する部分は、折り部と称する。綴じ部Ｂおよび折り部は、冊子Ｓの背表紙を構成する。のど部Ｄは、冊子Ｓの内側であって、綴じ部Ｂまたは折り部の裏側に位置する。
【００３０】
小口Ｋは、冊子Ｓの端部であって、綴じ部Ｂまたは折り部の反対側に位置する。冊子Ｓは、複数枚の用紙を重ねて半分に折っているので、冊子Ｓの内側に位置する用紙ほど、背表紙と反対側の方向に小口Ｋから突き出る長さは大きく、冊子Ｓの外側に位置する用紙ほど、背表紙と反対側の方向に小口Ｋから突き出る長さは小さい。後述する小口断裁処理で小口Ｋから突き出ている部分を断裁し、小口Ｋが整えられる。
【００３１】
中綴じユニット３００にて中綴じまたは中折りされた冊子Ｓは、冊子処理ユニット１に搬送される。冊子処理ユニット１では、後述するスクエアフォールド処理、小口断裁処理等が施される。冊子処理ユニット１にて処理された冊子Ｓは、その後冊子トレイ５０に排出される。
【００３２】
＜冊子処理ユニット１＞
図４から図１５を参照して、中綴じユニット３００から送られてきた冊子Ｓがスクエアフォールド処理されるまでのフローを説明する。以下の図中（図５、６、７を除く）では後述する通紙経路ｃの内部に存在するものを実線で表し、通紙経路ｃの外部に存在するものを点線で表している。また、図中のローラー対において、回転方向が実線で示されているものはローラー対が駆動力を受けて回転しており、回転方向が点線で示されているものはローラー対が空転していることを表している。
【００３３】
図４は、スクエアフォールド処理を施す冊子処理ユニット１内の概略図である。本明細書中では、図４中の紙面上における左方向の矢印が示す方向を搬送方向ＤＲ１、紙面上における上下方向の両矢印が示す方向を厚み方向ＤＲ２と称する。図５は、図４に示す冊子処理ユニット１内の平面図である。なお図５では、斜視した冊子Ｓを模式的に図示している。本明細書中では、図５中の紙面上における上下方向の両矢印が示す方向を冊子幅方向ＤＲ３と称する。冊子幅方向ＤＲ３は、搬送方向ＤＲ１と厚み方向ＤＲ２とに直交する。図中の２点鎖線で挟まれている領域は、冊子Ｓが搬送される通紙経路ｃである。
【００３４】
図４、図５を参照して、スクエアフォールド処理を施す冊子処理ユニット１は、搬送部１０と、運搬部１１と、把持部１３と、冊子処理部１４ａと、駆動部１５と、ブレーキ１９と、ローラー対２２とを含む。冊子Ｓが搬送部１０によって搬送されていないとき、冊子処理ユニット１内では、搬送部１０、運搬部１１、ローラー対２２、把持部１３、冊子処理部１４ａが、搬送方向ＤＲ１の上流から下流に、この順に配置されている。搬送部１０とローラー対２２と把持部１３とは、搬送方向ＤＲ１に沿って通紙経路ｃに配置されている。運搬部１１と冊子処理部１４ａと駆動部１５とブレーキ１９とは、通紙経路ｃから外れて配置されている。
【００３５】
搬送部１０は、ローラー対２０を有する。搬送部１０は、中綴じユニット３００によって中綴じまたは中折りされた冊子Ｓを厚み方向ＤＲ２に挟んでいる。搬送部１０は、綴じ部Ｂまたは折り部を先端Ｔとして、冊子Ｓを搬送方向ＤＲ１に搬送する。ローラー対２０は、図示しない駆動手段（たとえばモーター）によって駆動される。ローラー対２０は、たとえば駆動手段からローラー対２０までの駆動力伝達経路に設けられたクラッチにより、駆動力伝達経路を遮断して、空転させることもできる。
【００３６】
運搬部１１は、矩形状の平板状の形状を有している。平板状の運搬部１１の厚みの方向は、厚み方向ＤＲ２である。運搬部１１の矩形の長辺は、冊子幅方向ＤＲ３に沿って延びている。運搬部１１の矩形の短辺は、搬送方向ＤＲ１に沿って延びている。運搬部１１は、搬送方向ＤＲ１および冊子幅方向ＤＲ３に移動可能である。駆動部１５は、搬送方向ＤＲ１および冊子幅方向ＤＲ３に運搬部１１を移動させる。運搬部１１は、冊子Ｓに挟まれた状態で移動することにより、冊子Ｓを運搬する。
【００３７】
ブレーキ１９は、ローラー対２２を回転可能にし、またはローラー対２２の回転を規制する。ブレーキが解除されているとき、ローラー対２２は駆動力を受けて回転可能、または空転可能である。ブレーキが作動しているとき、ローラー対２２は回転を規制される。
【００３８】
ローラー対２２は、厚み方向ＤＲ２の両側から冊子Ｓを挟む。ローラー対２２は、搬送部１０に対して搬送方向ＤＲ１の下流に配置されている。
【００３９】
図６は、駆動源２３からローラー対２２へ駆動力を伝達する駆動力伝達経路ｄを表す模式図である。冊子処理ユニット１は、駆動源２３と、駆動遮断部２４とを含む。駆動源２３は、ローラー対２２を回転させるための回転駆動力を発生する。駆動遮断部２４は、駆動源２３からローラー対２２までの駆動力伝達経路ｄに設けられている。駆動遮断部２４は、駆動力伝達経路ｄの接続と遮断とを切り替え可能に構成されている。駆動力伝達経路ｄが接続されてローラー対２２と駆動源２３とが接続された状態で、ローラー対２２は、駆動源２３が発生した回転駆動力を受けて、回転可能である。ローラー対２２と駆動源２３とが接続され、かつ駆動源２３が回転駆動力を発生していない状態で、ローラー対２２の回転に対する負荷が加えられ、ローラー対２２の回転が規制される。
【００４０】
図７は、駆動遮断部２４によってローラー対２２と駆動源２３とが遮断された状態を表す模式図である。駆動遮断部２４によって駆動力伝達経路ｄが遮断され、ローラー対２２が駆動源２３から遮断されることで、ローラー対２２は駆動源２３の負荷を受けることなく空転可能である。
【００４１】
本実施の形態において、駆動源２３は、ステッピングモーターである。駆動遮断部２４は、電磁クラッチである。本実施の形態においては、ステッピングモーターと電磁クラッチとがブレーキ１９を構成している。駆動遮断部２４により駆動源２３とローラー対２２を接続し、ステッピングモーターを励磁してローラー対２２に負荷を与えることで、ローラー対２２の回転が規制される。電磁クラッチのＯＮ／ＯＦＦによって、ローラー対２２とステッピングモーターとの接続（クラッチＯＮ）および遮断（クラッチＯＦＦ）が容易に切り替えられる。
【００４２】
図８は、冊子Ｓが搬送部１０により搬送方向ＤＲ１に搬送されて、ローラー対２２に押し当てられた状態を表す図である。ローラー対２２には、ローラー対２２の外周面Ｐ同士が接触するニップ部Ｎが形成される。搬送部１０は、厚み方向ＤＲ２に冊子Ｓを挟んだまま冊子Ｓを搬送方向ＤＲ１に搬送し、ニップ部Ｎに先端Ｔを押し当てる。このとき、電磁クラッチをＯＮにしてローラー対２２をステッピングモーターへ接続し、ステッピングモーターを励磁することにより、ローラー対２２の回転を規制する。ローラー対２２の回転が規制されることで、ニップ部Ｎに先端Ｔを押し当てても、冊子Ｓがローラー対２２に対して搬送方向ＤＲ１の下流側に搬送されなくなる。ローラー対２２のニップ部Ｎが先端Ｔを挟み込んだような状態になり、その状態で搬送部１０が冊子Ｓを搬送することにより、冊子Ｓの内側であって、用紙の枚数を二等分する位置に、空間Ｒが形成される。このとき運搬部１１は、通紙経路ｃの外部で待機している。
【００４３】
図９は、運搬部１１が空間Ｒ内に挿入された状態を表す図である。冊子Ｓの内側に空間Ｒが形成されることで、運搬部１１を挿入できるスペースが冊子Ｓの内側に形成される。駆動部１５は、運搬部１１を冊子幅方向ＤＲ３に移動させる。通紙経路ｃの外部に待機していた運搬部１１は、冊子Ｓと接触することなく、冊子幅方向ＤＲ３に沿って空間Ｒの外部から空間Ｒに移動する。
【００４４】
図１０は、空間Ｒに挿入された運搬部１１が搬送方向ＤＲ１に移動する状態を表した図である。駆動部１５は、運搬部１１を搬送方向ＤＲ１に移動させる。このとき、電磁クラッチをＯＦＦにしてローラー対２２をステッピングモーターから遮断することにより、ローラー対２２は空転する。ブレーキ１９（ステッピングモーターと電磁クラッチ）は、駆動部１５が運搬部１１を搬送方向ＤＲ１の下流側に向かって移動する間、ローラー対２２を空転させる。
【００４５】
空間Ｒに挿入された運搬部１１が搬送方向ＤＲ１に沿って移動すると、運搬部１１は先端Ｔの裏側に位置するのど部Ｄに接触する。のど部Ｄに接触した運搬部１１は、ローラー対２２の間を通過して冊子Ｓを搬送方向ＤＲ１に運搬する。このとき、搬送部１０は空転している。
【００４６】
図１１は、冊子Ｓが把持部１３により固定される前の状態を表す図である。搬送部１０とローラー対２２とは空転している。運搬部１１は、ローラー対２２に対して、搬送方向ＤＲ１の上流側から下流側まで冊子Ｓを運搬し、冊子Ｓにローラー対２２を通過させる。のど部Ｄの裏側に位置する先端Ｔが運搬部１１によって案内されて搬送方向ＤＲ１に沿って運搬されるため、冊子Ｓは、先端Ｔの位置および冊子Ｓの姿勢を保持しながら、ローラー対２２を通過することが可能になる。運搬部１１はさらに、把持部１３に対して搬送方向ＤＲ１のやや下流側の位置まで、冊子Ｓの先端Ｔを運搬する。その位置で運搬部１１が停止し、これに伴って冊子Ｓも停止する。
【００４７】
図１２は、冊子Ｓが把持部１３により固定される前に運搬部１１が冊子幅方向ＤＲ３に沿って冊子Ｓから抜かれた状態を表す図である。運搬部１１が把持部１３に対して搬送方向ＤＲ１のやや下流側の位置まで先端Ｔを運搬した後、駆動部１５は、運搬部１１を冊子幅方向ＤＲ３に移動させる。運搬部１１は、冊子幅方向ＤＲ３に沿って冊子Ｓから抜かれて、通紙経路ｃの外部に退避する。運搬部１１が冊子Ｓから抜かれる前に、電磁クラッチをＯＮにしてローラー対２２をステッピングモーターに接続し、ステッピングモーターを励磁することで、ローラー対２２の回転を規制する。ブレーキ１９（ステッピングモーターと電磁クラッチ）は、駆動部１５が運搬部１１を冊子幅方向ＤＲ３に沿って移動させ冊子Ｓから運搬部１１を引き抜く際に、ローラー対２２の回転を規制する。ローラー対２２の回転が規制されることで、駆動部１５が運搬部１１を冊子幅方向ＤＲ３に沿って移動させ、冊子Ｓから運搬部１１を抜く際に、冊子Ｓの姿勢がズレることがない。
【００４８】
図１３は、冊子Ｓが把持部１３により固定された状態を表す図である。運搬部１１が冊子幅方向ＤＲ３に抜かれた後に、把持部１３が厚み方向ＤＲ２に沿って冊子Ｓに近づく方向に移動する。冊子Ｓは、把持部１３によって厚み方向ＤＲ２方向から挟まれ固定される。これにより、先端Ｔの位置と冊子Ｓの姿勢とが適切に規定された状態で、冊子Ｓが把持部１３によって固定される。なお、運搬部１１は、冊子幅方向ＤＲ３に沿って退避したあと、図５に示す位置まで戻る。
【００４９】
図１４は、冊子Ｓにスクエアフォールド処理が施される状態を表す図である。冊子処理部１４ａは、略円筒状の形状を有する。通紙経路ｃの外部で待機していた冊子処理部１４ａは、冊子幅方向ＤＲ３に沿って通紙経路ｃ内へ移動し、把持部１３によって固定された先端Ｔにスクエアフォールド処理を施す。冊子処理部１４ａは、先端Ｔに押し当てられ冊子幅方向ＤＲ３に沿って移動し、先端Ｔを角状に整形する。冊子処理部１４ａは、冊子Ｓの枚数によって冊子幅方向ＤＲ３に複数回往復することもある。
【００５０】
図１５は、スクエアフォールド処理が施された冊子Ｓが搬送される状態を表す図である。把持部１３は、厚み方向ＤＲ２に沿って冊子Ｓから離れる方向へ移動し、冊子Ｓの固定を解除する。冊子処理部１４ａは、通紙経路ｃの外部に退避する。電磁クラッチがＯＮのままでステッピングモーターを駆動させることで、ローラー対２２は回転駆動し、スクエアフォールド処理後の冊子Ｓを搬送方向ＤＲ１の下流に搬送する。
【００５１】
図４から図１５で、冊子Ｓがスクエアフォールド処理されるまでのフローを説明した。冊子Ｓが小口断裁処理される場合においては、冊子処理部１４ａが後述する冊子処理部１４ｂに置き換えられる。冊子処理部１４ｂは、刃状の形状を有している。
【００５２】
図１６は、小口断裁処理を施す冊子処理ユニット１内の概略図である。小口断裁処理を施す冊子処理ユニット１内では、搬送部１０、運搬部１１、ローラー対２２、冊子処理部１４ｂ、把持部１３が、搬送方向ＤＲ１の上流から下流に、この順に配置されている。把持部１３は、スクエアフォールド処理を施す冊子処理ユニット１における把持部１３に比べて搬送方向ＤＲ１の長さが大きい。小口Ｋが把持部１３に対して搬送方向ＤＲ１のやや上流側の位置で、冊子Ｓは、把持部１３によって固定される。上記で説明したスクエアフォールド処理の場合と同様に、先端Ｔの位置と冊子Ｓの姿勢が適切に規定された状態で、冊子Ｓが把持部１３によって固定される。その後、冊子処理部１４ｂは、小口Ｋを断裁する。
【００５３】
＜作用効果＞
実施の形態の冊子処理ユニット１の作用効果についてまとめて説明すると、以下の通りである。なお、実施の形態の構成に参照番号を付すが、これは一例である。
【００５４】
図４に示すように、本実施の形態の冊子処理ユニット１は、ローラー対２２と運搬部１１と駆動部１５とブレーキ１９とを備える。ローラー対２２は、中綴じまたは中折りされた冊子Ｓを厚み方向ＤＲ２の両側から挟む。運搬部１１は、冊子Ｓに挟まれた状態で移動することにより冊子Ｓを運搬する。駆動部１５は、運搬部１１を搬送方向ＤＲ１と冊子幅方向ＤＲ３とに移動させる。ブレーキ１９は、駆動部１５が運搬部１１を搬送方向ＤＲ１の下流側に向かって移動させる間、ローラー対２２を空転させる。ブレーキ１９は、駆動部１５が運搬部１１を冊子幅方向ＤＲ３に沿って移動させ冊子Ｓから運搬部１１を抜く際に、ローラー対２２の回転を規制する。
【００５５】
駆動部１５が運搬部１１を搬送方向ＤＲ１の下流側に向かって移動する間、ブレーキを解除してローラー対２２を空転させることで、運搬部１１による冊子Ｓの搬送方向ＤＲ１の下流への運搬が、ローラー対２２によって妨げられることを回避できる。
【００５６】
ブレーキを作動させ、ローラー対２２の回転を規制することで、ローラー対２２に対する冊子Ｓの移動が規制されている状態となる。ローラー対２２の回転を規制するブレーキ１９を設ける簡単な構成で、運搬部１１を冊子幅方向ＤＲ３に沿って移動させ冊子Ｓから運搬部１１を抜く際に、冊子Ｓの姿勢のズレを抑制することができる。
【００５７】
図１０、図１１に示すように、運搬部１１は、ローラー対２２に対して、搬送方向ＤＲ１の上流側から下流側まで、冊子Ｓを運搬する。ローラー対２２を通過する冊子Ｓが運搬部１１により運搬されるので、先端Ｔの位置と冊子Ｓの姿勢とが適切に規定された状態で冊子Ｓにローラー対２２を通過させることができる。
【００５８】
図６に示すように、冊子処理ユニット１は、駆動源２３と駆動遮断部２４とを備える。駆動源２３は、ローラー対２２を駆動する。駆動遮断部２４は、駆動源２３からの動力をローラー対２２に伝達する駆動力伝達経路ｄに設けられている。駆動源２３とローラー対２２とを遮断することで、ローラー対２２は駆動源２３の負荷を受けることなく空転することができる。駆動源２３とローラー対２２とを接続することで、ローラー対２２に負荷を与えて、ローラー対２２の回転を規制することができる。
【００５９】
駆動源２３は、モーターを有する。これにより、モーターは、ローラー対に保持トルクを作用させることができ、ローラー対に大きな負荷を与えることができる。本実施の形態ではステッピングモーターが用いられる。ステッピングモーターに励磁することで、大きな保持トルクが得られ、ローラー対２２により大きな負荷を与えることができる。
【００６０】
駆動遮断部２４は、電磁クラッチを有する。この場合は、電磁クラッチへの通電と非通電を切り替えることにより、駆動源２３とローラー対２２との接続と遮断とを、容易に切り替えることができる。
【００６１】
図１４、１６に示すように、冊子処理ユニット１は、冊子処理部をさらに備える。冊子処理部は、運搬部１１によって運搬され運搬部１１が冊子幅方向ＤＲ３に沿って抜かれた冊子Ｓに冊子処理を施す。先端Ｔの位置と冊子Ｓの姿勢とが適切に規定された状態で、冊子Ｓが把持部１３に固定されることにより、適切に冊子処理を施すことができる。
【００６２】
冊子処理部は、小口断裁処理またはスクエアフォールド処理の少なくともいずれか一方の処理を施す。先端Ｔの位置が適切に調整された状態で、冊子Ｓが把持部１３に固定されることにより、適切にスクエアフォールド処理ができる。また、冊子Ｓの姿勢が適切に調整された状態で、冊子Ｓが把持部１３に固定されることにより、断裁箇所が斜めにならずに小口断裁処理を行うことができる。
【００６３】
冊子処理ユニット１は、搬送部１０をさらに備える。搬送部１０は、ローラー対２２よりも搬送方向ＤＲ１の上流側に配置され、冊子Ｓの綴じ部Ｂまたは折り部を先端Ｔとして、冊子Ｓを搬送方向ＤＲ１に沿って搬送する。搬送部１０によって搬送される冊子Ｓの先端Ｔがローラー対２２に押し付けられる際に、ブレーキ１９がローラー対２２の回転を規制する。
【００６４】
搬送部１０が先端Ｔをローラー対２２のニップ部Ｎに押し込むと、ニップ部Ｎが先端Ｔを挟み込んだ状態になる。その状態のまま、搬送部１０が冊子Ｓを搬送方向ＤＲ１に沿って搬送することで、冊子Ｓの内側に空間Ｒを形成することができる。これにより、運搬部１１を冊子Ｓの内側に容易に挿入することが可能になる。
【００６５】
用紙後処理装置２００は、冊子処理ユニット１と冊子Ｓを作成する中綴じユニット３００とを備える。先端Ｔの位置と冊子Ｓの姿勢とが適切に調整された状態で、冊子Ｓが把持部１３に固定されることにより、適切に冊子処理を施すことができる用紙後処理装置を実現できる。
【００６６】
変形例として、ブレーキ１９は、電磁クラッチとステッピングモーターとに限られるものでなく、ディスクブレーキなどの任意のブレーキであってもよい。冊子処理ユニット１は、モーターおよびクラッチとディスクブレーキとを両方備えてもよい。搬送部１０は、ベルトによる搬送形態でもよい。または、搬送部１０が冊子Ｓの小口Ｋを挟みながら、冊子Ｓを搬送方向ＤＲ１に搬送するような形態でもよい。
【００６７】
上記ではナイフ束折り方式を採用する用紙後処理装置２００について説明してきたが、鞍掛け方式を採用する用紙後処理装置においても本発明は適用可能である。
【００６８】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００６９】
１  冊子処理ユニット、１０  搬送部、１１  運搬部、１２  衝突部、１３  把持部、１４ａ，１４ｂ  冊子処理部、１５  駆動部、１８  回転調整部、２０  ローラー対、２２  ローラー対、２３  駆動源、２４  駆動遮断部、５０  冊子トレイ、１００  画像形成装置、１０１  給紙トレイ、１０２  給紙ローラー、１０３，１０４，１０７  搬送ローラー、１０５  定着装置、１０６  冷却装置、２００  用紙後処理装置、２０１  搬送ローラー、２０２  搬送経路切替部材、３００  中綴じユニット、３０１  中綴じ収容部、３０２  折りローラー、３０３  折りナイフ、４０１  排紙トレイ、Ｂ  綴じ部、Ｋ  小口、Ｐ  外周面、Ｎ  ニップ部、Ｒ  空間、Ｓ  冊子、Ｔ  先端、ｃ  通紙経路、ｄ  駆動力伝達経路、ＤＲ１  搬送方向、ＤＲ２  厚み方向、ＤＲ３  冊子幅方向。
【図１】
2018083671.tif 000003
【図２】
2018083671.tif 000004
【図３】
2018083671.tif 000005
【図４】
2018083671.tif 000006
【図５】
2018083671.tif 000007
【図６】
2018083671.tif 000008
【図７】
2018083671.tif 000009
【図８】
2018083671.tif 000010
【図９】
2018083671.tif 000011
【図１０】
2018083671.tif 000012
【図１１】
2018083671.tif 000013
【図１２】
2018083671.tif 000014
【図１３】
2018083671.tif 000015
【図１４】
2018083671.tif 000016
【図１５】
2018083671.tif 000017
【図１６】
2018083671.tif 000018